(57)【要約】【課題】簡単な構成でＬＥＤの落下を防止すると共に、ボタン電池とＬＥＤとの接触抵抗の増大や接触不良を抑える。【解決手段】砲弾型のＬＥＤの基部が摺動自在でフランジ部で離脱が規制される基部用貫通孔が形成された筐体と、ＬＥＤのリード線が貫通するリード線用貫通孔が形成され、リード線の最大間隔がボタン電池の厚さとなるように固定する固定板と、ＬＥＤのレンズ部が押されるとアノード側のリード線が正極に接触すると共にＬＥＤのカソード側のリード線が負極に接触し、ＬＥＤが引かれるとアノード側のリード線が正極から離れると共にＬＥＤのカソード側のリード線が負極から離れるようにボタン電池が配置され、筐体に挿入される収納部と、を備える。【選択図】図１
2018030059.tif 000002
【特許請求の範囲】
【請求項１】
基部に形成されるフランジ部と、該基部から延設される一対のリード線とを有するＬＥＤと、
電池及び固定板を収納し、前記基部を摺動可能に挿通する基部用貫通孔を有する筐体と、
を備え、
前記固定板は、前記リード線のアノード及びカソードが各々前記電池の正極及び負極と接触した状態で、前記ＬＥＤの前記筐体の内方への摺動を規制し、
前記フランジ部は、前記基部用貫通孔の周縁と当接することにより、前記アノード及び前記カソードが各々前記正極及び前記負極と離れた状態で、前記ＬＥＤの前記筐体の外方への摺動を規制する、
ことを特徴とするＬＥＤスイッチ構造。
【請求項２】
前記ＬＥＤの前記筐体の内方への摺動は、前記ＬＥＤと共に移動する前記固定板が前記電池の収納部と当接することにより規制されることを特徴とする請求項１に記載のＬＥＤスイッチ構造。
【請求項３】
前記ＬＥＤの前記筐体の内方への摺動は、前記フランジ部が前記筐体に対して固定された前記固定板と当接することにより規制されることを特徴とする請求項１に記載のＬＥＤスイッチ構造。
【請求項４】
前記固定板は、一対の前記リード線の最大間隔を前記電池の厚さとなるように前記リード線の幅を固定することを特徴とする請求項１乃至請求項３の何れかに記載のＬＥＤスイッチ構造。
【請求項５】
前記固定板は、前記リード線を挿通させるリード線用貫通孔を有することを特徴とする請求項１乃至請求項４の何れかに記載のＬＥＤスイッチ構造。
【請求項６】
前記リード線用貫通孔は、前記ＬＥＤ側の開口形状が長穴で前記電池側の開口形状が円形のテーパ状であることを特徴とする請求項５に記載のＬＥＤスイッチ構造。
【請求項７】
前記電池の収納部は、
前記ＬＥＤ側の上方に切欠を有する側板と、
前記ＬＥＤ側に前記電池の電極幅よりも狭い幅で形成された押え板と、
を有することを特徴とする請求項１乃至請求項６の何れかに記載のＬＥＤスイッチ構造。
【請求項８】
砲弾型のＬＥＤの基部が摺動自在でフランジ部で離脱が規制される基部用貫通孔が形成された筐体と、
前記ＬＥＤの一対のリード線が貫通するリード線用貫通孔が形成され、前記リード線の最大間隔がボタン電池の厚さとなるように固定する固定板と、
前記ＬＥＤのレンズ部が押されるとアノード側の前記リード線が前記ボタン電池の正極に接触すると共にＬＥＤのカソード側の前記リード線が前記ボタン電池の負極に接触し、前記ＬＥＤが引かれると前記アノード側の前記リード線が前記正極から離れると共に前記ＬＥＤの前記カソード側の前記リード線が前記負極から離れるように前記ボタン電池が配置され、前記筐体に挿入される収納部と、を備えたことを特徴とするＬＥＤスイッチ構造。
【請求項９】
請求項１乃至請求項８の何れかに記載のＬＥＤスイッチ構造を有することを特徴とする装身具。
【請求項１０】
請求項１乃至請求項９の何れかに記載のＬＥＤスイッチ構造を有することを特徴とする交通安全グッズ。
【発明の詳細な説明】
【技術分野】
【０００１】
本発明は、ＬＥＤスイッチ構造並びにそれを用いた装身具及び交通安全グッズに関する。
【背景技術】
【０００２】
ＬＥＤ（Ｌｉｇｈｔ  Ｅｍｉｔｔｉｎｇ  Ｄｉｏｄｅ：発光ダイオード）を用いたスイッチ構造（以下、ＬＥＤスイッチ構造と表記）の一例として特許文献１が挙げられる。
特許文献１に記載の考案は、吊下げ型点灯式アクセサリーに関するものであり、具体的には、ＬＥＤの基部と小型電池とをホルダー内に備え、ＬＥＤに対してホルダーを押す方向に操作することによりＬＥＤの先端部が点灯し、ホルダーを引く方向に操作するとＬＥＤが消灯するスイッチ構造を内蔵したＬＥＤユニットの少なくとも点灯部分を、内部又は外面に反射部又は屈折部を有する装飾体の下端部から上方に向けて突入させてＬＥＤユニットと装飾体とを組み付け、装飾体の上端部に、イヤリング又はピアス等の留金具に接続したものである。
【先行技術文献】
【特許文献】
【０００３】
【特許文献１】実用新案登録第３１００４２９号公報
【発明の概要】
【発明が解決しようとする課題】
【０００４】
しかしながら、特許文献１に記載の考案は、装飾体の下端部から上方に向けて突入させてＬＥＤユニットと装飾体とを組み付けた場合、リチウム電池の先端とＬＥＤの接点との接触はリチウム電池とホルダーと装飾体との間の摩擦力のみで保持されている。また、特許文献１に記載の考案は、装飾体と、垂れ房とがホルダーの摩擦力のみで保持されている。
このため、ＬＥＤとリチウム電池との間には何ら押圧力が加わっておらず接触抵抗が増大したり、接触不良が生じたりしやすい。
さらに、リチウム電池のホルダーを装飾体から何回か挿抜させると、装飾体の内壁とホルダーとの間が摩耗して、ＬＥＤが装飾体から抜けやすくなり、ついには落下するおそれがある。【０００５】
そこで、本発明の目的は、簡単な構成でＬＥＤの落下を防止すると共に、ボタン電池とＬＥＤとの接触抵抗の増大や接触不良を抑えることにある。
【課題を解決するための手段】
【０００６】
上記課題を解決するため、請求項１に記載の発明は、基部に形成されるフランジ部と、該基部から延設される一対のリード線とを有するＬＥＤと、電池及び固定板を収納し、前記基部を摺動可能に挿通する基部用貫通孔を有する筐体と、を備え、前記固定板は、前記リード線のアノード及びカソードが各々前記電池の正極及び負極と接触した状態で、前記ＬＥＤの前記筐体の内方への摺動を規制し、前記フランジ部は、前記基部用貫通孔の周縁と当接することにより、前記アノード及び前記カソードが各々前記正極及び前記負極と離れた状態で、前記ＬＥＤの前記筐体の外方への摺動を規制する、ことを特徴とする。【０００７】
また、上記課題を解決するため、請求項１０に記載の発明は、砲弾型のＬＥＤの基部が摺動自在でフランジ部で離脱が規制される基部用貫通孔が形成された筐体と、前記ＬＥＤの一対のリード線が貫通するリード線用貫通孔が形成され、前記リード線の最大間隔がボタン電池の厚さとなるように固定する固定板と、前記ＬＥＤのレンズ部が押されるとアノード側のリード線が前記正極に接触すると共にＬＥＤのカソード側のリード線が前記負極に接触し、前記ＬＥＤが引かれると前記アノード側のリード線が前記正極から離れると共にＬＥＤの前記カソード側のリード線が前記負極から離れるようにボタン電池が配置され、前記筐体に挿入される収納部と、を備えたことを特徴とする。
【発明の効果】
【０００８】
本発明によれば、簡単な構成でＬＥＤの落下を防止すると共に、ボタン電池とＬＥＤとの接触抵抗の増大や接触不良を抑えることができる。
【図面の簡単な説明】
【０００９】
【図１】（ａ）は、ＬＥＤスイッチ構造のＬＥＤ側から見た外観斜視図であり、（ｂ）は、（ａ）の拡散分解斜視図であり、（ｃ）は図１（ａ）のＩｃ−Ｉｃ線断面図である。
【図２】（ａ）は、図１に示したＬＥＤスイッチ構造の収納部側から見た外観斜視図であり、（ｂ）は、（ａ）の拡散分解斜視図である。
【図３】（ａ）〜（ｄ）は、図１に示したＬＥＤ１１のオンオフ動作を説明するための説明図である。
【図４】（ａ）、（ｂ）は、収納部１３−２を示す図である。
【図５】（ａ）、（ｂ）は、固定板１４−２を示す図である。
【図６】図１に示したＬＥＤスイッチ構造を装身具の一例としてのネックレスに装着した状態を示す図である。
【図７】図１に示したＬＥＤスイッチ構造を交通安全グッズの一例としてのリストバンドに装着した状態を示す図である。
【発明を実施するための形態】
【００１０】
＜構成＞
図１（ａ）は、ＬＥＤスイッチ構造１０のＬＥＤ１１側から見た外観斜視図であり、図１（ｂ）は、図１（ａ）の拡散分解斜視図であり、図１（ｃ）は、図１（ａ）のＩｃ−Ｉｃ線断面図である。図２（ａ）は、図１に示したＬＥＤスイッチ構造１０の収納部１３−１側から見た外観斜視図であり、図２（ｂ）は、図２（ａ）の拡散分解斜視図である。なお、以下のＬＥＤスイッチ構造１０の説明では、ＬＥＤ１１側を前、その反対側を後とし、図１（ａ）のＬＥＤスイッチ構造１０の上側を上、その反対側を下とする。また、ＬＥＤスイッチ構造１０の後方から見た左側を左、その反対側を右とする。
【００１１】
ＬＥＤスイッチ構造１０は、砲弾型のＬＥＤ１１、筐体１２、収納部１３−１、及び固定板１４−１を有する。筐体１２、収納部１３−１、及び固定板１４−１は、いずれも樹脂からなっている。
【００１２】
ＬＥＤ１１は、先端にレンズ部１１ａを有し、基部１１ｂの端部の外周にフランジ部１１ｃを有する砲弾型の本体を有する。基部１１ｂの底面１１ｂ１には一対のリード線１１ｄ，１１ｅが設けられている。リード線１１ｄ，１１ｅには極性があり、リード線１１ｄはＬＥＤ本体内部でアノード側に接続され、リード線１１ｅはＬＥＤ本体内部でカソード側に接続されている。
【００１３】
リード線１１ｄ，１１ｅの形状は、購入時は平行であり、かつその間隔が約数十ｍｍある。リード線１１ｄ，１１ｅは、ＬＥＤ１１の摺動可能距離に応じて摺動時にオンオフ切換の動作が可能な長さに切断され、かつボタン電池１５の厚さ分だけ広げられる。
【００１４】
ＬＥＤ１１の発光部は、単にＰＮ接合された一つの半導体素子ではなく、複数の半導体素子を用いて一定時間ごとに色が変化したり、点滅したりするように構成することができる。ＬＥＤ１１は市販品を用いることができる。
【００１５】
筐体１２は、ＬＥＤ１１のレンズ部１１ａ及び基部１１ｂが摺動自在な内径の基部用貫通孔１２ａが形成された角筒状の部材である。
【００１６】
固定板１４−１は、板状部材である。固定板１４−１には、ＬＥＤ１１のリード線１１ｄ，１１ｅが貫通可能で、左右両側に穴径が広げられた長穴状のリード線用貫通孔１４ａ−１，１４ｂ−１が形成される。リード線用貫通孔１４ａ−１とリード線用貫通孔１４ｂ−１との間の最小間隔は、リード線１１ｄ，１１ｅの最大間隔であって、ボタン電池１５の厚さとなるように設定されている。
【００１７】
固定板１４−１の縦横のサイズは、筐体１２内を摺動できる程度に設定されている。固定板１４−１の厚さは、リード線１１ｄ，１１ｅの長さより薄く設定されている。
【００１８】
収納部１３−１は、ボタン電池１５が配置されるスペースを有し、筐体１２に挿入可能に形成されている。筐体１２と収納部１３−１との間には抜け防止の凹凸が形成されている。
【００１９】
具体的に、収納部１３−１は、左右の側板１３ａ−１、フランジ部１３ｃ−１、前板１３ｄ−１、底板１３ｅ−１により囲われて、上方に向かって開口した有底の箱状に形成される。左右の側板１３ａ−１は、略矩形板状に形成され、前方の上側に略矩形状の切欠１３ａ−２を有する。側板１３ａ−１における切欠１３ａ−２の下方位置には、凸部１３ａ−３が形成される。凸部１３ａ−３は、側板１３ａ−１の表面よりも側方に突出するように略矩形状に形成される。凸部１３ａ−３が設けられた側板１３ａ−１の前方側の左右幅は、側板１３ａ−１の後方側の左右幅よりやや広く形成される。
【００２０】
前板１３ｄ−１は、側板１３ａ−１の切欠１３ａ−２よりも下方位置に形成される。前板１３ｄ−１の上端からは、上方に向かって、略矩形状の押え板１３ｄ−２が延設される。押え板１３ｄ−２は、左右の側板１３ａ−１の切欠１３ａ−２が設けられた位置よりも内側の位置において、電池１５の正極１５１及び負極１５２の電極幅よりも狭い幅で形成される。押え板１３ｄ−２の上端は、側板１３ａ−１の上端の下方に配置される。
【００２１】
収納部１３−１の後端部にはフランジ部１３ｃ−１が形成される。フランジ部１３ｃ−１は、収納部１３−１の筐体１２に対する挿入時のストッパの機能を有する。ボタン電池１５は図では２個直列接続されているが、本発明はこれに限定するものではなく、電圧が高ければ１個であってもよい。尚、この場合、リード線１１ｄ，１１ｅの間隔及び固定板１４−１のリード線用貫通孔１４ａ−１，１４ｂ−１の位置も変化する。
【００２２】
また、ボタン電池１５の数は、ＬＥＤ１１の定格電圧に応じて３個以上とする等適宜変更することができる。
【００２３】
連結部１３ｂ−１は、装身具や交通安全グッズ等に取付けるための連結部である。連結部１３ｂ−１は、図２に示すようにフランジ部１３ｃ−１から後方へ立設している。連結部１３ｂ−１は、略平板状に形成され、略平坦な上面及び下面を有する。連結部１３ｂ−１の後端は、半円弧状に形成される。連結部１３ｂ−１の板面上には、略上下方向に亘る略円形の貫通孔である開口部１３ｂ−３が形成される。使用者は、この開口部１３ｂ−３に紐状体やフック等を挿通させることによりＬＥＤスイッチ構造１０を装身具や交通安全グッズ等として使用することができる。
【００２４】
＜動作＞
図３（ａ）〜（ｄ）は、図１に示したＬＥＤ１１のオンオフ動作を説明するための説明図である。尚、ＬＥＤ１１は実際には本体部の長さが８ｍｍ程度しかないので、説明のためＬＥＤ１１が指よりも太く示されている（図３（ａ））。
【００２５】
ＬＥＤ１１のリード線１１ｄ，１１ｅがリード線用貫通孔１４ａ−１，１４ｂ−１に挿入された固定板１４−１は、ＬＥＤ１１の前後移動と共に筐体１２内を摺動することができる。
【００２６】
図３（ａ）の状態から指先でＬＥＤ１１のレンズ部１１ａを軽く押すと、ＬＥＤ１１が筐体１２内を内方へ摺動する。リード線１１ｄ，１１ｅは、押え板１３ｄ−２の左右からボタン電池１５側へ侵入する。そして、リード線１１ｄ，１１ｅがボタン電池１５の正極１５１及び負極１５２を乗り越えて接触してＬＥＤ１１が点灯する（図３（ｂ））。この時ボタン電池１５にはリード線１１ｄ，１１ｅにより把持する力が加わる。これによりリード線１１ｄ，１１ｅとボタン電池１５との間の接触抵抗が減少し、かつリード線１１ｄ，１１ｅが前方向へ抜けにくくなる（図３（ｂ））。
【００２７】
ＬＥＤ１１の筐体１２内方への移動は、固定板１４−１の後面側が前板１３ｄ−１及び押え板１３ｄ−２に当接して、規制される。
【００２８】
人差し指と親指でＬＥＤ１１のレンズ部１１ａをつまみ（図３（ｃ））、そのまま引っぱると、ＬＥＤ１１が筐体１２の外方へ摺動し、リード線１１ｄ，１１ｅがボタン電池１５から離れるので、ＬＥＤ１１は消灯する（図３（ｄ））。ＬＥＤ１１をそのまま引っ張ってもフランジ部１１ｃが筐体１２の基部用貫通孔１２ａの周縁と当接して外方への離脱が規制されるのでＬＥＤ１１が抜けることがない（図３（ｄ））。
【００２９】
すなわち、本実施形態によれば、ＬＥＤ１１、筐体１２、収納部１３−１、固定板１４−１、及びボタン電池１５という簡単な構成により、ボタン電池１５をＬＥＤ１１のリード線１１ｅ，１１ｄが把持するので、ＬＥＤ１１の落下を防止すると共に、ボタン電池１５とＬＥＤ１１との接触抵抗の増大や接触不良を抑えることができる。
【００３０】
＜変形例＞
図４（ａ）、（ｂ）は、収納部１３−１の変形例の収納部１３−２である。なお、収納部１３−２の説明において、収納部１３−１と同様の構成については、同一の符号を付し、その説明を省略又は簡略化する。
【００３１】
図４（ａ）、（ｂ）に示した収納部１３−２の図１に示した収納部１３−１との相違点は連結部１３ｂ−２の開口部１３ｂ−４を拡大した点である。連結部１３ｂ−２は、図４（ｂ）に示すように、略長方形状の板体を略１８０度湾曲させて、両端をフランジ部１３ｃ−２に接続させて形成した、上下方向に貫通する開口部１３ｂ−４を有する。連結部１３ｂ−２の開口部１３ｂ−４が連結部１３ｂ−１の開口部１３ｂ−３より拡大することにより、装身具や交通安全グッズの取付け紐を通しやすくなる。
【００３２】
また、収納部１３−２は、左側の側板１３ａ−１にマーカ１６−１を、右側の側板１３ａ−１にマーカ１６−２を有する。マーカ１６−１は「＋」の記号を模した形状であり、側板１３ａ−１から側方に突出している。マーカ１６−２は「−」の記号を模した形状であり、側板１３ａ−１に溝状に形成されている。マーカ１６−２の後端側には側方に突出する円柱状の突起部が形成される。マーカ１６−１及びマーカ１６−２の突起部の高さは、それぞれ左右の凸部１３ａ−３と略同じ又は左右の凸部１３ａ−３より低く形成される。
【００３３】
ボタン電池１５を収納部１３−２に収納する際、正極１５１はマーカ１６−１側に配置され、負極１５２はマーカ１６−２側に配置される。使用者は、マーカ１６−１，１６−２により、ボタン電池１５を正しい向きに配置させることができる。なお、マーカ１６−１，１６−２は、図１〜図３の収納部１３−１の側板１３ａ−１に形成してもよい。
【００３４】
図５（ａ）、（ｂ）は、固定板１４−１の変形例の固定板１４−２である。図５（ａ）、（ｂ）に示した固定板１４−２の図１（ａ）、（ｂ）に示した固定板１４−１との相違点は、リード線用貫通孔１４ａ−２，１４ｂ−２の形状が相違している点である。すなわち、リード線用貫通孔１４ａ−２，１４ｂ−２は、ＬＥＤ側の開口形状が長穴でボタン電池側の開口形状が円形の、内部がテーパ状に形成された貫通孔である。
【００３５】
リード線用貫通孔１４ａ−２，１４ｂ−２がこのような形状を有することにより、リード線１１ｄ，１１ｅの挿入が容易となる。
【００３６】
尚、上述した実施の形態は、本発明の好適な実施の形態の一例を示すものであり、本発明はそれに限定されることなく、その要旨を逸脱しない範囲内において、種々変形実施が可能である。
【００３７】
例えば、ＬＥＤスイッチ構造をイヤリング、ピアス、ネックレス５０（図６参照）、チョーカー、もしくはペンダント等の装身具に取付けたり、リストバンド５１（図７参照）、ストラップ、もしくは襷等の交通安全グッズに取付けたりすることが可能である。
【００３８】
図６は、図１に示したＬＥＤスイッチ構造を装身具としてのペンダントに装着した状態を示す図である。図７は、図１に示したＬＥＤスイッチ構造を交通安全グッズの一例としてのリストバンドに装着した状態を示す図である。
【００３９】
また、図１〜図３の固定板１４−１は、筐体１２内に固定される構成としてもよい。この場合、指先でＬＥＤ１１のレンズ部１１ａを押すと、ＬＥＤ１１が筐体１２内を内方へ摺動し、リード線用貫通孔１４ａ−１，１４ｂ−１内を後方へ移動したリード線１１ｄ，１１ｅがボタン電池１５の正極１５１及び負極１５２を乗り越えて接触してＬＥＤ１１が点灯する。ＬＥＤ１１の筐体１２内方への移動は、フランジ部１１ｃの底面１１ｂ１が筐体１２内に固定された固定板１４−１の前面側と当接することにより、規制することができる。
【符号の説明】
【００４０】
１０    ＬＥＤスイッチ構造
１１    ＬＥＤ
１１ａ    レンズ部
１１ｂ    基部
１１ｃ    フランジ部
１１ｄ、１１ｅ    リード線
１１ｂ１    底面
１２    筐体
１２ａ    基部用貫通孔
１３−１、１３−２    収納部
１３ａ−１    側板
１３ａ−２    切欠
１３ａ−３    凸部
１３ｂ−１，１３ｂ−２    連結部
１３ｂ−３，１３ｂ−４    貫通孔
１３ｃ−１，１３ｃ−２    フランジ部
１３ｄ−１    前板
１３ｄ−２    押え板
１４−１、１４−２    固定板
１４ａ―１、１４ｂ−１、１４ａ―２、１４ｂ−２    リード線用貫通孔
１５    ボタン電池
１５１    正極
１５２    負極
１６−１，１６−２    マーカ
５０    ネックレス
５１    リストバンド
【図１】
2018030059.tif 000003
【図２】
2018030059.tif 000004
【図３】
2018030059.tif 000005
【図４】
2018030059.tif 000006
【図５】
2018030059.tif 000007
【図６】
2018030059.tif 000008
【図７】
2018030059.tif 000009
【国際調査報告】
2018030059.tif 000010
2018030059.tif 000011
2018030059.tif 000012
2018030059.tif 000013